(57)【要約】【課題】操作が簡単で手間がかからず、新たな機器を新設する必要がなく、廉価なコストで受像信号の映像を任意の位置及び姿勢で視聴可能な映像投影装置１４が付属したテレビジョン受像機を提供する。【解決手段】テレビジョン受像機に映像投影装置１４を接続配置し、テレビジョン受像機の映像信号出力回路２に得られた映像信号を選択的にテレビジョン受像機の映像表示画面８及び／または映像投影装置１４に供給できる構成にした。【選択図】図１
2008258950.tif 000002
【特許請求の範囲】
【請求項１】
テレビジョン受像機に映像投影装置を接続配置し、前記テレビジョン受像機の映像信号出力回路に得られた映像信号を選択的にテレビジョン受像機の映像表示画面及び／または前記映像投影装置に供給できる構成にしたことを特徴とする映像投影装置が付属したテレビジョン受像機。
【請求項２】
テレビジョン受像機に映像投影装置を接続配置するとともに、ＤＶＤ等の外部接続機器からの映像信号を入力可能な映像信号入力端子を配置し、前記テレビジョン受像機の受信時に映像信号出力回路に得られた映像信号または映像信号入力端子を通して映像信号出力回路に供給された映像信号のいずれかを選択的にテレビジョン受像機の映像表示画面及び／または前記映像投影装置に供給できる構成にしたことを特徴とする映像投影装置が付属したテレビジョン受像機。
【請求項３】
前記映像信号出力回路の映像信号を選択的にテレビジョン受像機の映像表示画面または前記映像投影装置に供給する切替手段は、テレビジョン受像機に配置した映像出力切替釦またはリモコン装置に配置した映像出力切替釦を操作することによって行われることを特徴とする請求項１または２に記載の映像投影装置が付属したテレビジョン受像機。
【請求項４】
前記映像信号出力回路の映像信号を選択的にテレビジョン受像機の映像表示画面及び前記映像投影装置の双方に供給する切替手段は、テレビジョン受像機に配置した映像出力切替釦またはリモコン装置に配置した映像出力切替釦を操作することによって行われることを特徴とする請求項１または２に記載の映像投影装置が付属したテレビジョン受像機。
【請求項５】
前記映像信号出力回路の映像出力が前記映像投影装置側に切替えられたとき、前記テレビジョン受像機の映像表示画面が無表示状態に設定されることを特徴とする請求項３に記載の映像投影装置が付属したテレビジョン受像機。
【請求項６】
前記映像投影装置は、テレビジョン受像機に一体的に構成されていることを特徴とする請求項１乃至５のいずれか１項に記載の映像投影装置が付属したテレビジョン受像機。
【請求項７】
前記映像投影装置は、テレビジョン受像機に直接取り付けられるかまたは取り付け可能に構成されていることを特徴とする請求項１乃至５のいずれか１項に記載の映像投影装置が付属したテレビジョン受像機。
【発明の詳細な説明】
【技術分野】
【０００１】
本発明は、映像投影装置が付属したテレビジョン受像機に係り、特に、テレビジョン受信信号の映像信号やＤＶＤ等外部接続機器からの映像信号を、テレビジョン受像機の表示画面だけでなく、テレビジョン受像機に搭載した映像投影装置を用いて投影可能範囲内の好みの場所に投影することができる映像投影装置が付属したテレビジョン受像機に関する。
【背景技術】
【０００２】
一般に、テレビジョン受像機は、受信信号を受像機の表示画面に表示し、その表示画像を視聴する場合、ユーザが良好な表示画像の状態で視聴しようとすれば、当該表示画像の視野角度に制限があリ、ユーザが表示映像を視聴できる視覚位置の範囲が限られてしまい、ユーザにとって自由な位置での視聴ができない場合がある。
【０００３】
すなわち、テレビジョン受像機の表示画面の映像を視聴する際、ユーザは常に同じ視聴位置で良好な映像を視聴できるだけであるため、テレビジョン受像機を室内に設置した時点で、その表示画面視聴する際のユーザの視聴位置も自ずと決まってしまうことになる。
【０００４】
この場合、ユーザーは、常時、同じ視聴位置において、同じ状態で視聴することができれば特に問題にすることはないが、視聴姿勢を随時変化させて視聴していたり、大人数で視聴したりするときは、それぞれのユーザにとって不自由を感じるようになる。
【０００５】
このような点を解決するため、テレビジョン受像機の映像プロジェクターを結合し、テレビジョン受像機で受信した映像信号を映像プロジェクターを通して所望のスクリーン、例えば、壁面や天井面等の外部表示面に投影するという表示技術手段が知られており、また、屋内外を持ち歩けるエアボード等のテレビジョン受像機を用いる表示手段も知られており、この他に、無線ＬＡＮによって結合されたベースステ−ション（表示制御装置）と表示装置（映像表示装置）とを備え、ベースステ−ションが受信した映像信号を無線ＬＡＮを通して表示装置に伝送し、表示装置が伝送供給された映像信号を表示する表示制御手段が特開２００７−１３９９１号によって開示されている。
【０００６】
前記既知の表示技術手段や表示手段及び前記開示された表示制御手段を使用したときには、ユーザは受信した映像信号を比較的自由な位置で、自由な姿勢で視聴することができ、長時間の視聴や多人数による同時視聴も同じように可能になる。
【特許文献１】特開２００７−１３９９１号公報
【発明の開示】
【発明が解決しようとする課題】
【０００７】
ところで、前記既知の表示技術手段は、前述のように、ユーザにとって自由な位置、自由な姿勢による視聴が可能になる反面で、個別にテレビジョン受像機と映像プロジェクターとを用いるものであるため、テレビジョン受像機と映像プロジェクターとの接続の手間や、映像表示を行わせる際にテレビジョン受像機と映像プロジェクターとの双方をそれぞれ操作する必要があるため、ユーザにとってそれらの操作がわずらわしいと感じる場合があり、単純な操作による映像の視聴が望まれている。
【０００８】
また、前記既知の表示手段は、前述のように、ユーザにとって自由な位置、自由な姿勢による視聴が可能になる反面、通常のテレビジョン受像機の他に、新たに屋内外を持ち歩けるエアボード等のテレビジョン受像機を用いるものであるため、新たにエアボード等のテレビジョン受像機を購入する必要があり、２台のテレビジョン受像機を必要とする分、コスト高になってしまう。
【０００９】
さらに、前記開示された表示制御手段は、同じように、ユーザにとって自由な位置、自由な姿勢による視聴が可能になる反面、無線ＬＡＮシステムを構築したり、テレビジョン受像機に代わるワイヤレス機器を新たに増設したりする必要があり、視聴する際の制約が増えてしまうことになる。
【００１０】
本発明は、このような技術的背景に鑑みてなされたもので、その目的は、操作が簡単で手間がかからず、新たな機器を新設する必要がなく、廉価なコストで受像信号の映像を任意の位置及び姿勢で視聴可能な映像投影装置が付属したテレビジョン受像機を提供することにある。
【課題を解決するための手段】
【００１１】
前記目的を達成するために、本発明による映像投影装置が付属したテレビジョン受像機は、テレビジョン受像機に映像投影装置を接続配置し、テレビジョン受像機の映像信号出力回路に得られた映像信号を選択的にテレビジョン受像機の映像表示画面及び／または映像投影装置に供給できる構成にした第１の手段を具備する。
【００１２】
また、前記目的を達成するために、本発明による映像投影装置が付属したテレビジョン受像機は、テレビジョン受像機に映像投影装置を接続配置するとともに、ＤＶＤ等の外部接続機器からの映像信号を入力可能な映像信号入力端子を配置し、テレビジョン受像機の受信時に映像信号出力回路に得られた映像信号または映像信号入力端子を通して映像信号出力回路に供給された映像信号のいずれかを選択的にテレビジョン受像機の映像表示画面及び／または映像投影装置に供給できる構成にした第２の手段を具備する。
【００１３】
前記第１及び第２の手段に係る映像投影装置が付属したテレビジョン受像機における映像信号出力回路の映像信号を選択的にテレビジョン受像機の映像表示画面または映像投影装置に供給する切替手段は、テレビジョン受像機に配置した映像出力切替釦またはリモコン装置に配置した映像出力切替釦を操作することによって行われる切替手段を用いることが好適である。
【００１４】
また、前記第１及び第２の手段に係る映像投影装置が付属したテレビジョン受像機における映像信号出力回路の映像信号を選択的にテレビジョン受像機の映像表示画面及び映像投影装置の双方に供給する切替手段は、テレビジョン受像機に配置した映像出力切替釦またはリモコン装置に配置した映像出力切替釦を操作することによって行われる切替手段を用いることが好適である。
【００１５】
さらに、前記第１及び第２の手段に係る映像投影装置が付属したテレビジョン受像機は、映像信号出力回路の映像出力が映像投影装置側に切替えられたとき、テレビジョン表示画面が無表示状態に設定されることが好ましい。
【００１６】
また、前記第１及び第２の手段に係る映像投影装置が付属したテレビジョン受像機は、映像投影装置がテレビジョン受像機に一体構成されていることが好ましい。
【００１７】
さらに、前記第１及び第２の手段に係る映像投影装置が付属したテレビジョン受像機は、映像投影装置がテレビジョン受像機に直接取り付けられるかまたは取り付けを可能に構成されていることが好ましい。
【発明の効果】
【００１８】
以上説明したように、本発明の映像投影装置が付属したテレビジョン受像機によれば、テレビジョン受像機と映像投影装置とを一体的に形成し、テレビジョン受像機で受信した映像信号及び／または外部供給された映像信号を、選択的にテレビジョン受像機の映像表示画面または映像投影装置に供給し、当該映像表示画面への映像表示または室内の壁面や天井等への投影による映像表示を行うことができるので、テレビジョン受像機の配置場所や配置状態に基づく視野角度の制限を生じても、映像投影装置の投影による映像表示に切替えれば、その制限をなくした状態で映像表示を行うことができ、しかも、その画像表示を行うに際して、操作が簡単で手間がかからず、新たな機器を新設する必要がなく、廉価なコストで、受像信号の映像を任意の位置及び姿勢で視聴することが可能になるという効果がある。
【発明を実施するための最良の形態】
【００１９】
以下、本発明の実施の形態について図面を参照して説明する。
【００２０】
図１は、本発明の映像投影装置が付属したテレビジョン受像機の一つの実施の形態に係るもので、その要部構成を示すブロック図である。
【００２１】
図１に示されるように、この実施の形態に係る映像投影装置が付属したテレビジョン受像機は、チューナ１と、映像信号出力回路２と、音声信号出力回路３と、制御部４と、電源回路５と、リモコン信号受信部６と、音量制御部７と、映像表示画面８と、各種の操作釦９ａを備えた本体側操作スイッチ部９と、放声器１０と、電源スイッチ１１と、受信アンテナ１２と、各種の操作釦１３ａを備えた操作用リモコン１３と、映像投影装置１４とを備えている。この場合、映像投影装置１４を除いた回路構成部分は、既知のテレビジョン受像機が具備する構成手段と同じである。
【００２２】
そして、チューナ１は、入力端が受信アンテナ１２に接続され、映像信号出力端が映像信号出力回路２の入力端に接続され、音声信号出力端が音声信号出力回路３の入力端に接続され、制御端が制御部４に接続される。映像信号出力回路２は、一方の出力端が映像表示画面８に接続され、他方の出力端が映像投影装置１４に接続され、制御端が制御部４に接続される。音声信号出力回路３は、出力端が放声器１０に接続され、制御端が音量制御部７の出力端に接続される。電源回路５は、入力端が電源スイッチ１１に接続され、出力端が制御部５に接続される。リモコン信号受信部６は、操作用リモコン１３に接続され、出力端が制御部５に接続される。音量制御部７は、制御端が制御部５に接続される。本体側操作スイッチ部９は、制御部４に接続される。
【００２３】
また、図２は、この実施に形態による映像投影装置が付属したテレビジョン受像機においてユーザの操作によって得られる代表的な動作例を示すフローチャートである。
【００２４】
以下、図２に図示のフローチャートを参照して映像投影装置が付属したテレビジョン受像機の動作例について説明する。
【００２５】
始めに、動作ステップＳ１において、ユーザがテレビジョン受像機の電源スイッチ１１または操作用リモコン１３の電源オンオフ釦１３ａをオン操作すると、映像投影装置が付属したテレビジョン受像機に電源が投入され、それによりテレビジョン受像機及び映像投影装置１４が動作状態になる。
【００２６】
この場合、映像投影装置１４への電源投入は、テレビジョン受像機の電源投入と同時でなく、テレビジョン受像機の本体側操作スイッチ部９または操作用リモコン１３の映像投影装置駆動釦が設けられている場合には、その映像投影装置駆動釦の操作により電源投入を行うようにしてもよい。
【００２７】
次に、動作ステップＳ２において、ユーザは、視聴する映像表示画面としてテレビジョン受像機の映像表示画面８を利用するか否かの判断をし、その結果、映像表示画面８を利用する（Ｙ）と判断したときは次の動作ステップＳ３の実行に移行し、一方、映像投影装置１４を利用する（Ｎ）と判断したときは他の動作ステップＳ５の実行に移行する。
【００２８】
次いで、動作ステップＳ３において、ユーザは、本体側操作スイッチ部９の操作釦９ａまたは操作用リモコン１３の操作釦１３ａの操作により、テレビジョン受像機が受信した映像信号の伝送先をテレビジョン受像機の映像表示画面８になるように選択し、それにより映像表示画面８に当該映像信号が表示される。
【００２９】
続いて、動作ステップＳ４において、ユーザは、現在表示されている映像表示画面８の表示に代えて映像投影装置１４の投射映像画面に切り替えるか否かの判断をし、その結果、映像投影装置１４の投射映像画面に切り替える（Ｙ）と判断したときは次の動作ステップＳ５の実行に移行し、一方、現在表示されている映像表示画面８の表示を続行すると判断した（Ｎ）ときはこの動作ステップＳ４が繰り返し実行される。
【００３０】
続く、動作ステップＳ５において、ユーザは、本体側操作スイッチ部９の操作釦９ａまたは操作用リモコン１３の操作釦１３ａの操作により、テレビジョン受像機が受信した映像信号の伝送先を映像投影装置１４になるように選択し、それにより映像投影装置１４から投射された当該映像信号の投射映像が壁面や天井等のスクリーン上に表示される。
【００３１】
次に、動作ステップＳ６において、ユーザは、映像表示画面８の表示をオフにするか否かの判断をし、その結果、映像表示画面８の表示をオフにする（Ｙ）と判断したときは次の動作ステップＳ７の実行に移行し、一方、映像表示画面８の表示をオフにしない（Ｎ）と判断したときは他の動作ステップＳ８の実行に移行する。
【００３２】
次いで、動作ステップＳ７において、ユーザは、テレビジョン受像機に予め設定されているテレビメニューを映像表示画面８に一覧表示させ、テレビメニューが一覧表示されると、そのメニュー中の画面表示オフを選択すると、その選択に対応して映像表示画面８の表示がオフになる。
【００３３】
続いて、動作ステップＳ８において、ユーザは、現在表示されている映像投影装置１４の投射映像画面の表示に代えてテレビジョン受像機の映像表示画面８の表示に切り替えるか否かの判断をし、その結果、映像表示画面８の表示に切り替える（Ｙ）と判断したときは前の動作ステップＳ３の実行に移行し、一方、現在表示されている映像投影装置１４の投射映像画面の表示を続行するとと判断した（Ｎ）ときは次の動作ステップＳ９の実行に移行する。
【００３４】
続く、動作ステップＳ９において、ユーザは、映像投影装置が付属したテレビジョン受像機の電源をオフにするか否かの判断をし、その結果、電源をオフにする（Ｙ）と判断したときは次の動作ステップＳ１０の実行に移行し、一方、電源をオフにしないで映像画面の表示を続行すると判断した（Ｎ）ときはこの動作ステップＳ９が繰り返し実行される。
【００３５】
最後に、動作ステップＳ１０において、ユーザがテレビジョン受像機の電源スイッチ１１または操作用リモコン１３の電源スイッチ釦１３ａをオフ操作すると、映像投影装置が付属したテレビジョン受像機の電源が切断され、それによりテレビジョン受像機及び映像投影装置１４が非動作状態になり、この一連の動作経緯が終了する。
【００３６】
また、図３（ａ）、（ｂ）は、本発明の映像投影装置が付属したテレビジョン受像機においてテレビジョン受像機に映像投影装置を付属させたときの構成例を示すもので、（ａ）はテレビジョン受像機に映像投影装置を取り付けたときの正面図であり、（ｂ）は映像投影装置を拡大して示す正面図である。
【００３７】
図３（ａ）、（ｂ）において、１４は前述のように映像投影装置であり、１５はテレビジョン受像機筐体である。また、１４ａは映像投影装置１４の基礎部分、１４ｂは映像投影装置１４の映像投射部分、１４ｃは映像投射部分１４ｂの中心に設けられた映像投射口である。この場合、映像投影装置１４は、その基礎部分１４ａがテレビジョン受像機筐体１５の天板に固定され、映像投射部分１４ｂは基礎部分１４ａに対して回動自在に保持されている。
【００３８】
そして、映像投影装置１４の動作時には、映像投射部分１４ｂに設けられた映像投射口１４ｃからスクリーン上に映像を形成する投射光が投射されるが、投射光の投射方向は映像投射部分１４ｂを適宜回動させることにより任意の方向に投射させることができるものである。
【００３９】
かかる構成を備えた映像投影装置が付属したテレビジョン受像機を用い、適宜、映像表示画面８の表示画像または映像投影装置１４からの投射画像を選択して見るようにすれば、テレビジョン受像機の映像表示画面８に対向した位置にいるユーザが一人で映像表示画面８の表示映像を視聴する場合だけでなく、不自由で寝たきりの状態にあるユーザや自分の姿勢をあまり変えることができないユーザが映像投影装置１４からの投射画像を視聴する場合であっても、ともに楽な姿勢を保ったままの状態で視聴することが可能になる。そして、これらの画像表示を行う場合においても、画像表示の切り替え操作が簡単で、手間を要することがなく、新たな機器を新設する必要もなく、廉価なコストで、映像表示を任意の視聴位置及び任意の視聴姿勢で視聴することが可能になる。
【００４０】
また、この映像投影装置が付属したテレビジョン受像機を用いた映像表示時に、テレビジョン受像機の映像表示画面８の表示と、映像投影装置１４からの投射画像の表示とを同時に実行するようにすれば、表示映像の視聴範囲が実質的に拡くなり、複数人のユーザによる共同視聴も可能となり、しかも、各ユーザの視聴位置決定の自由度を高めることができる。一方、映像投影装置１４からの投射画像の表示時に、テレビジョン受像機の映像表示画面８の表示をオフにすれば、その分、消費電力の低減にもなり、省エネ化を達成することができる。
【００４１】
さらに、この映像投影装置が付属したテレビジョン受像機は、テレビジョン受像機と映像投影装置１４とを一体型に構成しているので、同じ場所でテレビジョン受像機と映像投影装置１４とを操作することができ、操作がし易いだけでなく、テレビジョン受像機と映像投影装置１４と設置箇所をそれぞれ考慮する必要がなく、設置時のわずらわしさや設置スペースの確保もいらなくなる。一方、映像投影装置１４をテレビジョン受像機の筐体１５に取着及び取り外し可能に構成すれば、映像投影装置１４を取り外すことにより、テレビジョン受像機を単体で使用することができるようになる。
【００４２】
次いで、図４は、本発明の映像投影装置が付属したテレビジョン受像機の他の実施の形態に係るもので、その要部構成を示すブロック図である。
【００４３】
図４に図示された他の実施の形態に係るもの（以下、これを前者という）と、図１に図示された一つの実施の形態に係るもの（以下、これを後者という）とを比べると、前者は外部から供給される映像信号を取り込む映像信号入力端子１６を有し、その映像信号入力端子１６が映像信号出力回路２に接続されているのに対し、後者はかかる映像信号入力端子１６を有していない点に構成上の違いがあるが、それ以外の構成は前者と後者との間に何等変わりがない。そのため、図４においては、図１に図示された構成要素と同じ構成要素については同じ符号を付し、それらの構成要素の接続状態や機能についての説明は省略する。
【００４４】
ところで、前者における映像信号入力端子１６は、ＤＶＤ等の外部接続機器から供給される映像信号を選択的に取り入れるものであって、映像信号入力端子１６に外部接続機器の出力が接続されない場合、前者の動作は前述の後者の動作と同じであるが、映像信号入力端子１６に外部接続機器の出力が接続されると、映像信号入力端子１６を通して制御部４に外部接続機器が接続されたことが伝送され、それによって映像信号出力回路２から映像表示画面８または映像投影装置１４に供給される映像信号は外部接続機器から供給される映像信号になる。
【００４５】
そして、前者においても、主要な構成部分は、後者の主要な構成部分と同じであるので、前者の動作及び得られる効果は、それぞれ前述の後者の動作及び得られる効果と同じであり、説明が重複するので、前者の動作及び得られる効果の説明は省略する。
【００４６】
前述の説明においては、映像信号入力端子１６に外部接続機器が接続されたとき、映像信号出力回路２から出力される映像信号は、自動的に外部接続機器から供給される映像信号に置き変えられる例についてのものであるが、映像信号入力端子１６に外部接続機器が接続されたとき、本体側操作スイッチ部９の操作釦９ａまたは操作用リモコン１３の操作釦１３ａを操作してすることによって、映像信号出力回路２の出力信号を外部接続機器から供給される映像信号に切り替えるようにすることも可能である。
【図面の簡単な説明】
【００４７】
【図１】本発明の映像投影装置が付属したテレビジョン受像機の一つの実施の形態に係るもので、その要部構成を示すブロック図である。
【図２】図１に図示の映像投影装置が付属したテレビジョン受像機においてユーザの操作によって得られる代表的な動作例を示すフローチャートである。
【図３】本発明の映像投影装置が付属したテレビジョン受像機においてテレビジョン受像機に映像投影装置を付属させたときの構成例である。
【図４】本発明の映像投影装置が付属したテレビジョン受像機の他の実施の形態に係るもので、その要部構成を示すブロック図である。
【符号の説明】
【００４８】
１  チューナ
２  映像信号出力回路
３  音声信号出力回路
４  制御部
５  電源回路
６  リモコン信号受信部
７  音量制御部
８  映像表示画面
９  本体側操作スイッチ部
９ａ  各種の操作釦
１０  放声器
１１  電源スイッチ
１２  受信アンテナ
１３  操作用リモコン
１３ａ  各種の操作釦
１４  映像投影装置
１４ａ  映像投影装置１４の基礎部分
１４ｂ  映像投影装置１４の映像投射部分
１４ｃ  映像投射部分１４ｂの中心に設けられた映像投射口
１５  テレビジョン受像機筐体
１６  映像信号入力端子
【図１】
2008258950.tif 000003
【図２】
2008258950.tif 000004
【図３】
2008258950.tif 000005
【図４】
2008258950.tif 000006